(57)【要約】      （修正有）【課題】発育促進剤によるミスト栽培と害虫忌避剤練り込みフィルムシートによるエレベータ式自動化農業工場による低価格生産と過疎地再生農業生産システムを提供する。【解決手段】高層階の多段層のエレベータ式架台に乗せた苗ポットを発育促進剤のミスト栽培により３ヶ月以内に成育し、成育した農作物が最下段にくるようエレベーター架台の回転速度を調節し、最下段のプラットホームで収穫包装し、空いた架台に新たな苗ポットを乗せて回転させる高層多段エレベータ架台式農業工場。全体を覆う透明シートには、植物から出来た農業害虫忌避剤をシリコンのマイクロカプセルに含浸させ練り込み、その除放性により長期間忌避効果を発揮させる無農薬化をはかる。【選択図】図１
0003187646.tif 000002
【実用新案登録請求の範囲】
【請求項１】
（イ）多段層のエレベーター式架台に滋養分に富んだ土を入れたポットの苗を並べ、生育期間に一回転するように設定し、短期間に生育が可能な当社の発育促進剤と最適な栄養素と水を混合したミストの噴霧により、野菜類、根菜類、稲、麦、果物その他の農作物に栄養を与え、
（ロ）植物から出来た農業害虫の忌避剤をマイクロカプセル化して練り込んだ透明樹脂フィルムシートで覆い、マイクロカプセルの除放性により長期間に害虫類を忌避し、無農薬化をはかり、
（ハ）生育の状況に応じて各階層から最下段のプラットホームに自動的に降りて来てプラットホームで収穫し、収穫後新しい苗ポットを並べる多段層エレベーター式自動化農業工場にすることにより，少人数でオペレーションでき、
（ニ）農業専門家も農業機械も不要なため、失業者対策にも優れたエレベータ式自動化農業工場による低価格農業と過疎地再生農業生産システム。
【請求項２】
鉄骨の骨組みとエレベーター式の多段層になった架台の上に、滋養に富んだ土を入れた農作物の苗を植えたポットを並べ、発育促進剤と栄養素と水を混合したミストを繰り返し噴霧し、一定期間に植物ポットを乗せた架台が１階のプラットホームに来るように昇降スピードを調整したエレベーター架台から生育した農作物を収穫し、空いた架台に新しい苗ポットを乗せていく請求項１の低価格生産と過疎地再生農業生産システム。
【請求項３】
上記農業工場は、すべて透明シートにより太陽光を取り入れ，その透明シートに植物抽出油から出来た農業害虫忌避剤をシリカの多孔質マイクロカプセルに封入し練り込んだシートであり、そのマイクロカプセルの徐放性により空中に長期間害虫忌避薬剤を昇華し一年間害虫を忌避し、農薬を撒くことが無く、１年毎に透明シートを取り替える安全な無農薬化を実現する請求項１の低価格生産と過疎地再生農業生産システム。
【請求項４】
多段層の架台エレベーターを農作物の生育時期に１階のプラットホームに降りて来るように搬送スピードを調節し、プラットホームで収穫し包装して搬送トラックなどに積み込む。そして空いた架台に新しい苗ポットを並べる。農業の工業化により、多くの失業者を農業教育し、長期の定着率を考慮し、前従業者に株を持たせた全社員オーナーシップ制や一般からの投資対象とした農業事業を実施する請求項１の低価格生産と過疎地再生農業生産システム。
【考案の詳細な説明】
【考案の詳細な説明】
【０００１】本考案の農業工場は、基本的には（イ）〜（ニ）の手段から成っている。
（イ）鉄骨骨組み作りの建造物に回転式エレベーター架台を設置し、その架台の上に農作物の苗を植えたポットを並べ、植物生育に合わせて回転し、成育時に最下段のプラットホームに降りてき、そこで収穫包装ができ、また新しい苗ポットを並べるエレベーター式農作物床とそれに植物抽出油や珪藻土、フミン酸、藻類などから出来た植物発育促進剤と栄養素と水をミスト塗布し、オールシーズン農作物を育成する。
（ロ）植物から抽出した農業害虫忌避剤を含浸させた多孔質セラミック・マイクロカプセルを練り込んだ透明樹脂シートを張り、太陽光の取り入れと一年間に及ぶ農業害虫を忌避し、農薬の散布を不要とする。
（ハ）農業機械の使用や除草などの作業を不要にし、最下段のプラットフォームで２名から４名で全ての作業ができ最も低コスト運営が可能となる。
（ニ）収穫できた様々な農作物をその農業工場周辺で即売を実施することにより多くの人々を過疎地に誘導でき、それに関わる多くの人々の就業機会を増やして、しかも、日本の食物自給率を上げることができる。
【技術分野】
【０００２】本考案は、従来の農業と異なる新しい農作物育成土壌の改良として土ポット育成農業と言う技術である。基本的には従来の露地作物の特徴である美味しさと日持ちの良さを生かしながら新しい自動化農業を志向するところにある。【０００３】次に、大きな架台をエレベーターのように回転させ、その回転を農作物の育成に同期させた回転を設定し、育成すると最下段のプラットフォームに降りるよう設定する育成同期が出来る成育システムである。この技術により農業機械の使用や除草などの作業がなくなる。【０００４】しかし、農業に自動化を実現できるのは、全ての作物を３ヶ月以内に成育する植物発育促進剤と言う技術である。
農作物の発育を促進させるには、従来からあるバランスの取れた栄養と成育に貢献する様々なバクテリアなどの菌類である。しかしそれらの全ては育成を早めたり、シーズンに関係なくオフシーズンでも作物を育成する能力は無い。ここで使用する発育促進剤は、農作物を活性化すると同時に土中の温度を上げて寒中でも稲の出穂やバラのつぼみを多量に咲かせる能力のある天然素材を使用するところにある。同時に芋類や菜類、根菜類、果物類、花卉類など多くの作物の発育を早め、２ヶ月から３ヶ月で成育させる。【０００５】次に重要なのは、栄養素や発育促進剤や水をミスト噴霧による「ミスト栽培」である。【０００６】そして、植物から抽出された害虫忌避剤をシリコンの多孔質なボールに含浸させてビニールなどの透明フィルムに練り込み、その除放性から１年中農作物の空間に害虫忌避剤が放出され害虫を防ぐ無農薬化と農薬散布の不要にするマイクロカプセル化した忌避剤を練り込む技術である。【０００７】最後の仕上げとして、当社が開発した大豆不飽和脂肪酸の分子を切って活性化した世界初の飲める洗浄剤の鮮度保持力と幅広い抗菌力による洗浄仕上げで農作物の浄化と長持ちによる鮮度保持輸送が可能になることである。【０００８】これらのことから、この農業工業化は、建築技術とエレベーター技術、発育促進技術と無農薬化技術、そして農業のベテラン技術を必要としない収穫作業の単一化と新しい鮮度保持洗浄による出荷が実現できる。
【背景技術】
【０００９】  従来の農業は、平坦な土地を農機具や農業機械で耕し、種を蒔き，除草し、適当な時期に肥料と水を施し、農薬を塗布し，朝の早くから夜の遅くまで苦労の連続のような農作業であった。
またそれらの農業を取り巻く環境として、過疎地は老人化、平坦農業の不効率さ、休耕田による農地の荒れ、高価な農機具使用による農作物の高価格化、輸入農作物の関税低減による存続不可能な状況を迎えつつ有るのが実態と言える。
また、過疎地の疲弊した農家の援助に多大な国民の税金が救済見合いで投入されていると言う末期的な状況であるとも言える。
その上，日本の農作物の自給率の低さや、世界人口の増加による世界的な農作物不足など多くの問題点があり、ますます深刻な状況になる。
また、世界では多くの農業に適さない地域が有り、農作物の生産増加も大きく見込めないと言う限界的な状況も多く見受けられる。
【考案が解決しようとする課題】
【００１０】  現状の農業は，平地で田畑を農業機械などで耕し一年を通じて，農薬を使用して害虫を防ぎ，除草など常に手入れし、収穫に至るまで多くの農業従事者の労力を要し，しかもそれに比較した収入が少なく若者の農業従事者が激減し，過疎化地域がどんどん増加し、従って日本の農作物のコスト高により輸入農作物の方が、コストが低くなり輸入量の増加による自給率が４０％を切る状況である。
それに加え、農業地域の過疎化，農作物の減少，輸入の増加、農業の壊滅と言う減少が起きている。
一方，最近は水耕栽培や室内に置ける水耕栽培にＬＥＤ照明による野菜類の育成も多く出現して来た。
しかし、それらはあくまで本格的な農業生産とは言えないレベルのものであり、また水耕栽培の問題点である野菜の味の薄さと短期日に傷む弱さが有り，しかも高コストであることも欠点と言える。
従って本考案が解決しようとする課題は、低コストで生産効率が高く、しかも実労働が少なく少人数で運営出来る農業であり、農機具の使用も無く、使用する水も少なく農薬の散布も必要がなく，地域や場所を選ばず気候条件などに影響されない立地面積の小さな高層の農業ビルであり，鉄骨構造物内で回転エレベーター架台が回転することにより殆ど自動的に作業が出来、最下段のプラットホームで収穫と新しい植え付けを行うことが出来る。また、農業工場の立地場所で農作物の即売会やそれに伴う物流、来場者の為のレストランや休息地や遊興地の設置など，従来の過疎地に人口が集中し幅広い産業が生まれる可能性も高い。
またそれらの様々な作業に従事する労働者の増加は、新しい雇用を生み出し失業者削減の効果もある。
このローコスト農作物生産システムは、アフリカや中東などの農業に適さない地域に於いても設置でき、農作物をオールシーズンに供給できる新しい革命的な農業生産方式として，飢餓人口に大きく貢献できるだけでなく、今後の世界的な人口増加による食料不足に、穀物を含む農作物の生産増加に大きく寄与する。
【課題を解決するための手段】
【００１１】  課題を解決する手段として、
まず第一は、このローコスト農作物生産システムは、いわゆるビニールハウス栽培や水耕栽培ではなく、土を使用した植木鉢のようなポットを利用する。ポットで稲から麦などの穀類や野菜類を生育し、ポットに工夫を加えると，根菜類や芋類まで生育できる。
第二の手段は、既に実証済みの当社の発育促進剤による６０日生育を基準とし最大３ヶ月以内に殆どの穀物や野菜類が生育できることである。この発育促進剤は、植物抽出油や珪藻土、藻類を主成分としミネラル１００種類以上、アミノ酸１８種類を含有したもので、作物を活性化し土中の温度を上昇させ、季節に関係なく１年中作物を育成することの出来る発育促進剤である。この発育促進剤と栄養剤と水を混合しそれを定期的にミスト噴霧する。
第三の手段は、ポット内の土を水性二酸化塩素によりウイルスや菌類を完全に殺菌し，新たに作物の育成に必要な菌類や栄養素を入れた新しい土作りと、必要に応じて、零下の低温でも遠赤外線を発生しポット内の土の温度を上げて生育を常に促進するポット内の温度を保つ酸化ジルコンなどを含むセラミックスなどを配合する土作りにある。またポット組成物
そのものにセラミックスを練り込んでも可能である。
第四の手段は、最下段のプラットホームの役割である。ポットを並べたエレベーター架台が，農作物が生育するに合わせて最下段に降下し，最下段のプラットホームで生育した農作物を収穫し包装し配送トラックまで搬送する場所と，収穫したポットの土を入れ替えて再生し、新しい種を入れて発芽させる発芽室と，発芽した新しい苗ポットを再びエレベーター架台に乗せるポット配置場所からできており少人数で作業のできるプラットホームである。
第五の手段は、建物の各階を覆う透明シートにマイクロカプセル化した各種害虫忌避剤を練り込み，マイクロカプセルの除放性により，一年中忌避剤が農作物に害虫被害を防ぐ方式の採用である。
この害虫忌避剤を含浸するマイクロカプセルは，多孔質のシリコン製ボールである。この技術の採用により，年間を通じて農薬の散布が不要となり，無農薬化が完成する。このマイクロカプセルを練り込んだ透明シートは，各フロアーでカーテンを巻き取るように巻き取ることができ，台風時などには巻き取り、風が吹き抜けるようにしておくことができる。当然台風時の農作物は、風を吹き抜けさせるようなシートカバーを張られるようにし台風被害を最小限に防ぐ。
第六の手段は、各階層のエレベーター架台に遠隔操縦できるカメラを取り付け、作業者の自宅のパソコンやスマートフォンなどの携帯ツールで常に画像として確認でき，従って土曜日や日曜日，連休など休日が十分取れる、週休二日制の通常サラリーマン就業システムが導入できるところにある。
第七の手段として、これらの複数の農業工場でできた野菜や花卉類の展示即売場などの設置や購入者への自宅配送事業、その他物流業、また購入者向けレストラン、遊技場など過疎地に新しい産業が起こせることと都会の人口を移動させることができることである。過疎地が大きく転換できる可能性が高いと言える。
第八の手段は、当該農業工場は相当有利な利回りが期待できる投資対象とし、設立資金など広く一般の投資に求めることもできることにある。
【実施例】
【００１２】本考案を実現する上で重要な要素は、農業工場と言う高層工場と言える。
図１のような鉄骨の枠と懸架式のモーターで一定期間に架台が１周するエレベーター方式となる。
懸架式により一架台が２反：６００坪の広さで２０階の階層であれば、全ての架台の枚数は４０枚となり合計２４，０００坪（約８町歩）の農場となり、しかも一回転が２ヶ月間〜３ヶ月間とすれば、作業者は１架台の作業を１．５日〜２．２５日程度で仕上げることになる。
１架台の大きさが約１００ｍ×２０ｍで、１ポットの大きさが５０ｃｍ角とすれば、１架台上には約７，０００個のポットが乗るため、１日実労働を７時間とすれば、２人から３人で収穫から包装まですることが可能である。一方苗ポットの作製と架台に並べるのも２名の人員で充分で大きなコスト削減につながる。
１日の人件費コスト計算をすれば、一人月６０万円として５名で３００万円、１日７，０００ポットの作物を平均価格一株につき５０円とすれば、月間２１日稼働として１ヶ月間の総売上が、７３５万円、さまざまな経費や発育促進剤などの材料費を除いても約３００万円の利益を計上できる。また生産農作物の半分を倍の価格（約１００円／一株）で直売すれば経費までのぞいた利益率は６０％となり年間約８千万円の利益を上げる超優良工場となり得る。工場建屋および設備その他に５億円投資しても年間１６％の利回りとなり半額を内部留保にしても８％の利回りとなり投資としても優良な投資と言える。
一架台の大きさを１００坪以上の広さにし、階層を５階以上にすれば基本的には利益を上げる農業工場となり得る。勿論作付け農作物を選ぶことにより利益の向上を図れる。
図１，図２，図３，図４
稲に関する発育促進剤のテストでは、９月２５日にポットに植えた稲の種が、１１月２０日には出穂し１２月の中旬には収穫できた。またバラに関しては、２０１２年１１月のアメリカのミシガン州は温度がマイナスで、庭木の１本のバラの木に１ヶ月当社発育促進剤を３日に一度のサイクルで塗布すると、寒中にも関わらず、シーズン中より多くのつぼみが膨らみ１年中バラが収穫できる可能性が見受けられた。また、菊芋、里芋は６０日で成育など多くの実例があり、現在国内外の専門機関で幅広い実験が実施されている。
【考案の効果】
【００１３】本考案により、低価格な農作物の生産と無農薬化による安全な農作物の確保、過疎地の発展とそれに伴う人口年集中化から過疎地への分散、失業者の低減、日本の農作物の自給率の向上、それだけでなく世界の砂漠や寒冷地などでも安全に農作物を収穫できることが可能になるなど広く世界にも貢献できる農業工業化になる。
また発育促進剤による農作物の生産量の増加が、世界人口の増加による穀物戦争の改善にもつながる。
【図面の簡単な説明】
【０００１４】
【図１】図１は、農業工場の側面図である。大きな架台をエレベーターのように回転させ、その回転を農作物の育成に同期させた回転を設定し、育成すると最下段のプラットフォームに降りるようにした。
【図２】図２は、最下段プラットフォーム俯瞰図である。最下段のプラットフォームでは、農作物育成架台で育成した農作物を配送準備し、更に新たな発芽したポットを取り付ける。
【図３】図３は、架台上面図である。ポット置き台の移動方向を示したものである。
【図４】図４は、架台前面側面図である。収穫時は図のように架台上の苗ポット置き台は移動し、新しい苗ポットを乗せた時は、逆方向に移動する。
【図１】
0003187646.tif 000003
【図２】
0003187646.tif 000004
【図３】
0003187646.tif 000005
【図４】
0003187646.tif 000006
【手続補正書】
【提出日】平成25年7月9日(2013.7.9)
【手続補正１】
【補正対象書類名】実用新案登録請求の範囲
【補正対象項目名】全文
【補正方法】変更
【補正の内容】
【実用新案登録請求の範囲】
【請求項１】
（イ）ミストの噴霧機能を有し、滋養分に富んだ土を入れたポットを並べられる他段層のエレベーター式架台で、
（ロ）植物から出来た農業害虫の忌避剤をマイクロカプセル化して練り込んだ透明樹脂フイルムで覆った、
（ハ）生育状況に応じて各階層から最下段のプラットホームが自動的に降りて来てプラットホームで収穫し、収穫後新しい苗ポットを並べる多段層エレベーター式自動化農業工場で低価格農業と過疎地再生農業生産システム。
【請求項２】
鉄骨の骨組みとエレベーター式の多段層になった架台の上に、滋養に富んだ土を入れた農作物の苗を植えたポットを並べ、発育促進剤と栄養素と水を混合したミストを繰り返し噴霧し、一定期間に植物ポットを乗せた架台が１階のプラットホームに来るように昇降スピードを調整したエレベーター架台から生育した農作物を収穫し、空いた架台に新しい苗ポットを乗せていく請求項１の低価格生産と過疎地再生農業生産システム。
【請求項３】
上記農業工場は、すべて透明シートにより太陽光を取り入れ，その透明シートに植物抽出油から出来た農業害虫忌避剤をシリカの多孔質マイクロカプセルに封入し練り込んだシートであり、そのマイクロカプセルの徐放性により空中に長期間害虫忌避薬剤を昇華し一年間害虫を忌避し、農薬を撒くことが無く、１年毎に透明シートを取り替える安全な無農薬化を実現する請求項１の低価格生産と過疎地再生農業生産システム。
【請求項４】
多段層の架台エレベーターを農作物の生育時期に１階のプラットホームに降りて来るように搬送スピードを調節し、プラットホームで収穫し包装して搬送トラックなどに積み込み、そして空いた架台に新しい苗ポットを並べられる請求項１の低価格生産と過疎地再生農業生産システム。
【手続補正書】
【提出日】平成25年9月13日(2013.9.13)
【手続補正１】
【補正対象書類名】実用新案登録請求の範囲
【補正対象項目名】全文
【補正方法】変更
【補正の内容】
【実用新案登録請求の範囲】
【請求項１】
ミストの噴霧機能と、滋養分に富んだ土を入れたポットを並べられる他段層のエレベーター式架台と植物した忌避剤をマイクロカプセル化して練り込んだ透明樹脂フイルムとからなる多段層エレベーター式自動化農業生産システム。
【請求項２】
鉄骨の骨組みとエレベーター式の多段層になった架台の上に、農作物の苗を植えたポットを並べ、発育促進剤と栄養素と水を混合したミストを繰り返し噴霧できる請求項１の農業生産システム。
【請求項３】
太陽光を取り入れることができ、植物抽出油から出来た農業害虫忌避剤をシリカの多孔質マイクロカプセルに封入し練り込んだ透明シート有した請求項１の農業生産システム。
【請求項４】
多段層の架台エレベーターを農作物の生育時期に１階のプラットホームに降りて来るように搬送スピードを調節でき、空いた架台に新しい苗ポットを並べられる請求項１の農業生産システム。